(57)【要約】  実施形態の照明装置１は、ランプユニット６の口金当接面６Ｃに面接触し、前記ランプユニット６により発生した熱を伝導して放熱する放熱体３と、前記口金当接面６Ｃより側方の外側で、かつ前記放熱体３の上側に取り付けられる端子台７と、を有している。
2012005243.tif 000002
【特許請求の範囲】
【請求項１】
ランプユニットの当接面に面接触し、前記ランプユニットにより発生した熱を伝導して放熱する放熱体と；
前記当接面より側方の外側で、かつ前記放熱体の上側に取り付けられる端子台と；
を具備したことを特徴とする照明装置。
【請求項２】
前記放熱体から伝わる熱を断熱する断熱手段を有し、
前記端子台は、前記放熱体に前記断熱手段を介して取り付けられることをと特徴とする請求項１に記載の照明装置。
【請求項３】
前記放熱体は、外周側の一部を切り欠いた切り欠き面を有する切り欠き部が形成され、この切り欠き部の切り欠き面には突起状の支持部を有し、前記端子台は、取り付け面が前記突起状の支持部を介して前記放熱体に取り付けられ、前記断熱手段は、前記支持部によって前記放熱体の切り欠き面と前記端子台の取り付け面との間に形成される空間部であることを特徴とする請求項２に記載の照明装置。
【請求項４】
前記断熱手段は、前記端子台と前記放熱体の中心側との間に設けられた溝部であることを特徴とする請求項２に記載の照明装置。
【請求項５】
前記断熱手段は、前記端子台を前記放熱体の外周よりも外側の位置に配置する取り付け部であり、前記端子台は前記取り付け部を介して前記放熱体に取り付けたことを特徴とする請求項３に記載の照明装置。
【請求項６】
前記溝部は、前記切り欠き面側を中心とする円弧形状の溝部であることを特徴とする請求項４に記載の照明装置。
【請求項７】
前記放熱体は、前記放熱体の当接面よりも側方の外側に前記切り欠き面を有し、
前記断熱手段は、前記切り欠き面から突出形成され前記端子台を取り付ける取付部であることを特徴とする請求項２に記載の照明装置。
【請求項８】
前記放熱体は、放熱本体と、前記放熱本体の外周に、前記放熱本体の中心から放射状に設けられた複数の放熱フィンとを有し、
前記複数の放熱フィンのうち少なくとも１つ以上の放熱フィンに、前記端子台に接続される電源ケーブルを保持する保持部を設けたことを特徴とする請求項１に記載の照明装置。
【請求項９】
前記放熱体は、前記端子台と対向し、かつ、前記ランプユニットの電源用ソケット部と対向する位置に、前記放熱本体の一部を切り欠くことによって形成される配線用溝を有し、
前記端子台と前記電源用ソケット部とは、前記配線用溝を介して接続線で接続されることを特徴とする請求項１に記載の照明装置。
【発明の詳細な説明】
【技術分野】
【０００１】
本発明の実施形態は、発光ダイオード（ＬＥＤ：Light Emitting Diode）等の半導体発光素子を有した光源を備えた照明装置に関する。
【背景技術】
【０００２】
従来より、ＬＥＤ等の半導体発光素子を有した光源を備えて、例えば天井等に埋め込み設置して使用されるダウンライト等の照明装置が商品化されている。【０００３】
このような照明装置は、光源及びこの光源を点灯駆動するのに必要な点灯回路を有するランプユニットと、このランプユニットにより発生した熱を伝導し放熱するための放熱体と、この放熱体に設けられ、前記点灯回路に電源を供給するための電源ケーブル等が接続される端子台と、を有して構成される。【０００４】
近年、このような照明装置は、ＬＥＤ等の光源の高出力化が進んでいる。光源の高出力化を図るため、大電力にすると、ＬＥＤの発熱に伴ってランプユニット自体の温度が上昇する。照明装置の電力が高くなればなるほど、ランプユニットの温度が高くなり、このランプユニットにより発生した熱が伝導される放熱体の温度もランプユニットの温度に比例して高くなる。【０００５】
このため、高出力化に伴う放熱対策としては、ランプユニットと放熱体との接触面積を大きくすることで、ランプユニットから放熱体に伝導する熱量を増やして、放熱体による放熱効率を高める構成が考えられる。ところが、ランプユニットと放熱体との接触面積を大きくすると、ランプユニットの温度が高くなるにつれて、放熱体の温度も急激に上昇してしまう。【０００６】
すると、放熱体からの熱は、この放熱体に取り付けられている端子台を介して照明するのに必要な電源ケーブル等に伝わってしまうため、伝わる熱の温度によっては、電源ケーブル等の十分な耐性を確保することができない。【０００７】
一般に、放熱体に取り付けられる端子台と、この端子台に接続される電源ケーブル等は、それぞれ予め決められた所定の耐熱温度の耐熱性を有してはいるものの、特に、放熱体から端子台を介して伝わる熱の温度が、電源ケーブルの耐熱温度（例えば７０度）より超えた場合には、点灯動作するのに重要な電源ケーブルの耐性を十分に確保することができず、その結果、正常な点灯状態を維持することができない。このため、端子台に接続される電源ケーブルを熱から保護する必要がある。【０００８】
しかしながら、従来の照明装置では、高出力化に伴って、放熱体から端子台を介して電源ケーブル等に伝わる温度が電源ケーブルの耐熱温度よりも高くなった場合には、電源ケーブルの十分な耐性を確保することが困難であり、すなわち、端子台に接続される電源ケーブルを、熱から十分に保護することができないといった問題点があった。【０００９】
そこで、本実施形態は前記問題点に鑑みてなされたもので、放熱体から端子台に伝わる熱を断熱することにより、端子台に接続される電源ケーブルを、熱から保護することができる照明装置を提供することを目的とする。
【発明の開示】
【課題を解決するための手段】
【００１０】
実施形態の照明装置は、ランプユニットの当接面に面接触し、前記ランプユニットにより発生した熱を伝導して放熱する放熱体と；前記当接面より側方の外側で、かつ前記放熱体の上側に取り付けられる端子台と；を有している。
【図面の簡単な説明】
【００１１】
【図１】実施形態に係る照明装置の分解組立斜視図。
【図２】図１の照明装置全体の構成を説明するための断面図。
【図３】端子台が放熱体に取り付けられた状態の照明装置の斜視図。
【図４】端子台を取り付ける放熱体の切り欠き部及び支持部の構成を説明するための斜視図。
【図５】放熱体の支持部に取り付ける端子台の構成を説明するための斜視図。
【図６】放熱体に対する端子台の取付構造の変形例を説明するための斜視図。
【図７】溝部の形状の変形例を説明するための斜視図である。
【図８】放熱体の変形例を説明するための斜視図である。
【図９】放熱体の変形例を説明するための上面図である。
【図１０】放熱体の変形例を説明するための断面図である。
【発明を実施するための最良の形態】
【００１２】
実施形態の照明装置は、ランプユニットの当接面に面接触し、前記ランプユニットにより発生した熱を伝導して放熱する放熱体と；前記当接面より側方の外側で、かつ前記放熱体の上側に取り付けられる端子台と；を具備している。【００１３】
本発明及び以下の請求項の各発明に係わる実施形態において、特に限定しない限り、用語の定義及び技術的意味は次による。【００１４】
ランプユニットは、ＬＥＤ等の半導体発光素子を有した光源や、この光源を点灯駆動させるのに必要な点灯回路等を備えたランプ本体を構成するものであるが、これに限定されない。なお、半導体発光素子としては、ＬＥＤの他に有機ＥＬ素子等を用いることができる。【００１５】
放熱体は、ランプユニットにより発生した熱を伝導して放熱するものである。例えば、放熱体は、ランプユニットと接触、具体的には面接触するように構成されるがこれに限定されない。このランプユニットにより発生した熱とは、例えばランプの点灯中に、ＬＥＤ等の光源などにより発生する熱がランプユニット本体に伝わる熱である。【００１６】
この放熱体の材料には、熱伝導率のよい金属部材として、例えば、アルミニウム等を用いたダイカスト部材が用いられているがこれに限定されず、他の金属部材を用いても良い。【００１７】
また、放熱体は、複数の放熱フィンを外周に放射状に設けて構成されたものであるがこの形状に限定されるものではない。【００１８】
端子台は、例えば、外部からの電源供給用の電源ケーブルや調光制御用のケーブル等が接続され、端子台には、前記ランプユニットから延出される電源供給用及び調光制御用の接続線が接続されるが、これに限定されない。なお、端子台の材質は、例えば樹脂などの耐熱性のある部材で構成される。端子台の耐熱性は、例えば９０度の耐熱温度であるものが用いられるが、これに限定されるものではない。【００１９】
また、端子台の放熱体への取付は、例えば端子台の取り付け面に設けられた係止爪部を、放熱体の本体又は放熱フィンに設けられた、例えば突起上の支持部内の係止穴に嵌入することで固定されが、これに限定されるものではなく、ネジを用いて端子台を放熱体に固定しても良い。この場合、端子台の取り付け面と放熱体との間には、隙間、すなわち空間部が形成される。【００２０】
実施形態の照明装置は、前記放熱体から伝わる熱を断熱する断熱手段を有し、前記端子台は、前記放熱体に前記断熱手段を介して取り付けられてもよい。【００２１】
断熱手段は、放熱体から伝わる熱を断熱する。すなわち、断熱手段は、放熱体と端子台との間に介在して、放熱体から端子台に伝わる熱を断熱する、例えば空気層であるが、これに限定されない。【００２２】
実施形態の照明装置は、前記放熱体は、外周側の一部を切り欠いた切り欠き面を有する切り欠き部が形成され、この切り欠き部の切り欠き面には突起状の支持部を有し、前記端子台は、取り付け面が前記突起状の支持部を介して前記放熱体に取り付けられ、前記断熱手段は、前記支持部によって前記放熱体の切り欠き面と前記端子台の取り付け面との間に形成される空間部でもよい。【００２３】
突起状の支持部は、放熱体の外周側の一部を切り欠いた切り欠き面、すなわち、放熱体の取り付け面に設けられている。支持部は、少なくとも２個以上設けることが望ましい。そして、端子台がこれらの支持部を介して放熱体に取り付けられることにより、放熱体の切り欠き面と前記端子台の取り付け面との間には断熱手段を構成する空間部が形成される。勿論、前記支持部自体を断熱部材で構成しても良い。【００２４】
この構成により、端子台が放熱体の温度が低くなる外周側の切り欠き面に、かつ支持部を介して取り付けられているので、断熱手段である空間部を形成することで、放熱体から端子台に伝わる熱を断熱して、この端子台に接続される電源ケーブルを熱から保護することができる。【００２５】
前記支持部は例えば断熱部材であり、前記端子台は、前記放熱体に対する前記ランプユニットの取付方向と直交する方向の前記放熱体の断面において、前記放熱体の外周よりも外側の位置に配置され、かつ前記空気層を形成するように前記支持部を介して取り付けてもよい。【００２６】
断熱部材は、例えば樹脂を用いて板状に形成されたもので、この断熱部材と端子台及び放熱体との取付は、例えばネジによる螺合によって固定されるが、これに限定されない。端子台は、この断熱部材によって、放熱体の外周よりも外側の位置に配置して、かつ空気層が形成されるように固定されるので、前記実施形態によりも熱が端子台に伝わりにくく、より良好な断熱効果が得られる。なお、断熱部材の形状及び長さは、必要に応じて適宜変更すれば良い。  
この構成により、簡単な構成で、断熱効果をより効果的に向上できる。【００２７】
実施形態の照明装置は、前記断熱手段は、さらに、前記端子台が取り付けられる前記放熱体の切り欠き面よりも前記放熱体の中心側に、第２の空気層を形成する空間部であることを特徴とする。【００２８】
空間部は、端子台が取り付けられる放熱体の切り欠き面よりも放熱体の中心側に、第２の空気層を形成するものであり、例えば四角形状の溝部である。なお、この空間部は、端子台の係止爪またはネジなどを用いて放熱体に取り付けるための取付用の空間部として併用できる。  
この構成より、さらに端子台への断熱効果を高めることができる。【００２９】
実施形態の照明装置は、前記断熱手段は、前記端子台を前記放熱体の外周よりも外側の位置に配置する取り付け部であり、前記端子台は前記取り付け部を介して前記放熱体に取り付けてもよい。【００３０】
実施形態の照明装置は、前記溝部は、前記切り欠き面側を中心とする円弧形状の溝部でもよい。【００３１】
円弧形状の溝部は、端子台が取り付けられる支持部への伝熱経路を小さくするように形成されているので、前記実施形態によりも熱が端子台に伝わりにくく、より良好な断熱効果が得られる。【００３２】
この構成により、簡単な構成で、断熱効果をより効果的に向上できる。【００３３】
実施形態の照明装置は、前記放熱体は、前記切り欠き面の前記放熱体の中心から外側に前記端子台が取り付けられる取付部を有し、前記取付部は、前記放熱体に対する前記ランプユニットの取付方向と直交する方向の前記放熱体の断面に、前記取付け部の底面が面接触した状態で固定されていてもよい。【００３４】
取付部は、側面からの熱の伝熱がなくなり、底面からの熱の伝熱のみとなり、伝熱経路を小さくすることができ、前記実施形態によりも熱が端子台に伝わりにくく、より良好な断熱効果が得られる。なお、取付部は、放熱フィン３ａの厚さよりも薄く形成するようにしてもよい。これにより、取付部への伝熱経路をさらに小さくすることができる。【００３５】
この構成により、簡単な構成で、断熱効果をより効果的に向上できる。【００３６】
実施形態の照明装置は、前記放熱体は、前記ランプユニットと略同径に形成された放熱本体と、前記放熱本体の外周に、前記放熱本体の中心から放射状に設けられた複数の放熱フィンとを有し、前記複数の放熱フィンのうち少なくとも１つ以上の放熱フィンに、前記端子台に接続される電源ケーブルを保持する保持部を設けてもよい。【００３７】
この構成により、電源ケーブルが放熱フィンの先端側より温度の高い部分、具体的には、放熱体の上部の中心付近に接触することを防ぐため、端子台に接続される電源ケーブルを放熱体の熱から保護することができる。【００３８】
実施形態の照明装置は、前記放熱体は、前記端子台の真下かつ前記ランプユニットの電源用ソケット部の真上に、前記放熱本体の一部を切り欠くことによって形成される配線用溝を有し、前記端子台と前記電源用ソケット部とは、前記配線用溝を介して接続線で接続されることを特徴とする。【００３９】
この構成により、接続線は、放熱体の外側を通って端子台と電源用ソケット部とを接続する。さらに、端子台と電源用ソケット部とは、接続線を用い、配線用溝を介して最短で接続できるため、端子台と電源用ソケット部とを接続する接続線を放熱体の熱から保護することができる。【００４０】
（実施の形態）
図１〜図５を参照して本実施形態の照明装置を説明する。  
図１は、本実施形態に係る照明装置の分解組立斜視図、図２は、図１の照明装置全体の構成を説明するための断面図である。【００４１】
図１及び図２に示すように、照明装置１は、例えばダウンライトであり、装置本体２と、この装置本体２に取り付けられたソケット装置５と、このソケット装置５に着脱自在なランプユニット６と、を有して構成される。なお、以下、これらの上下方向などの方向関係は、装置本体２を水平に取り付ける状態を基準として、口金側を上側、光源側を下側として説明する。【００４２】
装置本体２は、放熱体３と、この放熱体３に取り付けられる反射体４（図２参照）とを有して構成される。反射体４は、金属製で、反射板部が一体に形成され、かつ円形状に形成されている。この反射板部は、下側に向かうにしたがって拡径されている。なお、放熱体３の具体的な構成は後述する。【００４３】
ソケット装置５は、絶縁性を有する合成樹脂製の円筒状のソケット本体５Ａを有し、このソケット本体５Ａの中央部には、ランプユニット６の口金部６Ｂが嵌合する嵌合孔５Ｃが上下方向に貫通して形成される。このソケット装置５の下面には、ランプユニット６の口金側当接面６Ｄ（図２参照）が当接するソケット側当接面５Ｂが形成されている。【００４４】
このソケット側当接面５Ｂの所定位置には、ランプユニット６の一対の電源用口金ピン６ａが夫々挿入される２つの案内孔５ａと、ランプユニット６の一対の信号用口金ピン６ｂが夫々挿入される２つの案内孔５ｂとが形成されている。【００４５】
また、ソケット側当接面３Ｂの反対側の面（上側の面）には、２つの案内孔５ａの位置に合わせて２つの電源用ソケット部５Ｘが設けられており、また、２つの案内孔５ｂの位置に合わせて２つの信号用ソケット部５Ｙが設けられている。【００４６】
電源用ソケット部５Ｘの内部には、周方向に沿って案内溝５Ｘ１（図２参照）が形成されており、この案内溝５Ｘ１の端部には、電源用口金ピン６ａが電気的に接続される口金ピン受部５Ｘ２が設けられている。【００４７】
また、信号用ソケット部５Ｙの内部についても、図示はしないが周方向に沿って案内溝（案内溝５Ｘ１と略同様な構成）が形成されており、この案内溝の端部には、信号用口金ピン６ｂが電気的に接続される口金ピン受部（口金ピン受部５Ｘ２と略同様な構成）が設けられている。【００４８】
なお、電源用ソケット部５Ｘの各口金受け部５Ｘ２と、信号用ソケット部の各口金受け部（図示せず）とは、それぞれ接続線１５を介して、装置本体２の放熱体３に取り付けられる端子台７に接続されるようになっている。【００４９】
また、ソケット装置５の嵌合孔５Ｃの内側には、ランプユニット６の３つ係合部６ｃがそれぞれ係合される３つのガイド部５Ｄが設けられている。これら２つのガイド部５Ｄは、嵌合孔５Ｃの周方向における内周面の長さを３等分した位置にそれぞれ配置されている。【００５０】
各ガイド部５Ｄの内部には、夫々係合部６ｃと係合しながら案内するガイド孔５ｃ及びガイド溝５ｄが設けられている。このガイド孔５ｃは、ランプユニット６の装着方向に沿って貫通している孔である。ガイド溝５ｄは、このガイド孔５ｃに延設され、嵌合孔５Ｃの周方向にそって傾斜がある溝である。【００５１】
このような構成のソケット装置５は、装置本体２を構成する放熱体３の底面３Ｂに、３つの固定部５Ｚによって、ランプユニット６の装着方向に移動自在に固定される。  
この固定部５Ｚは、図２に示すように、底面３Ｂの固定穴３ｂに螺子止めされる螺子部５Ｚ１と、この螺子部５Ｚ１を挿通する軸受け部５Ｚ２と、この軸受け部５Ｚ２を常に底面３Ｂ方向に付勢するバネ５Ｚ３とを有する。すなわち、ソケット装置５は、２つの固定部５Ｚのバネ５Ｚ３の付勢力によって、常に放熱体３の底面３Ｂに押し付けられて固定される。【００５２】
一方、ランプユニット６は、ユニット本体６Ａと、このユニット本体６Ａの下面側に配置される光源としての複数のＬＥＤ８ａを有する発光部８と、この発光部８ａが取り付けられる金属製の実装基板９と、制御基板１１と、この制御基板１１に設けられた制御装置１３と、発光部８を覆うグローブ６Ａ１と、を有して構成される。【００５３】
ユニット本体６Ａは、全体が放熱性に優れた金属、例えばアルミニウム等を用いたダイカスト部材で形成されたものであって、上部には口金部６Ｂが形成されている。また、ユニット本体６Ａの口金部６Ｂと外周縁部との間に形成される当接面６Ｄには、前記ソケット装置５の案内孔５ａ、５ｂに合わせた位置に、ランプユニット６の装着方向に沿って一対の電源用口金ピン６ａ及び一対の信号用口金ピン６ｂが突出するように設けられている。【００５４】
複数のＬＥＤ８ａは、実装基板９に搭載され、この実装基板９がユニット本体６Ａの内周側段差部の取り付け面に密着状態に取り付けられている。この実装基板９は、金属製の基板に絶縁層を介して配線パターンが形成され、配線パターン上にＬＥＤ８ａが接続され、熱伝導接続手段としての複数のネジなどによってユニット本体６Ａの取り付け面に密着するように取り付けられている。【００５５】
グローブ６Ａ１は、透光性を有する透明あるいは光拡散性を有するガラスや合成樹脂により形成されている。【００５６】
制御装置１３は、ＤＣ−ＡＣコンバータや定電流回路、電源回路等の点灯回路やＬＥＤ８ａの調光を制御する制御回路等を有して構成され、図示はしないが、回路基板、及びこの回路基板に実装された制御回路部品を有し、回路基板の入力部にリード線などで電源用口金ピン６ａや信号用口金ピン６ｂが電気的に接続され、回路基板の出力部にリード線などで実装基板９に電気的に接続されている。【００５７】
また、ランプユニット６が、放熱体３に固定されたソケット装置５に取り付けられたときに、ランプユニット６の口金当接面６Ｃが放熱体３の底面３Ｂに面接触した状態で固定される。【００５８】
ランプユニット６をソケット装置５に取り付けるとき、ランプユニット６の口金当接面６Ｃは、ランプユニット６の係合部６ｃがガイド部５Ｄのガイド溝５ｄに沿って周方向に係合しながら移動することにより、放熱体３の底面３Ｂ方向に一旦押し上げられる。同時に、ソケット装置５は、３つの固定部５Ｚのバネ５Ｚ３の付勢力に抗して、一時、放熱体３の底面３Ｂから離間する方向に移動する。【００５９】
ランプユニット６の係合部６ｃがさらに移動してガイド溝５ｄの端部に配置された固定位置に到達すると、ソケット装置５は、放熱体３の底面３Ｂから所定寸法の離間した位置で固定されるが、同時に、ランプユニット６の口金当接面６Ｃが、前記バネ５Ｚ３によって所定の押圧力で放熱体３の底面３Ｂに押し付けられて面接触された状態で固定される。【００６０】
したがって、本実施形態の照明装置１では、ランプ点灯中、ランプユニット６内のＬＥＤ８ａにより発生した熱は、図２に示すように、実装基板９、ユニット本体６Ａに伝わり、その後、このユニット本体６Ａの口金当接面６Ｃが面接触している放熱体３の底面３Ｂに効率良く伝わることになる。仮に、高出力の照明装置１である場合には、ランプユニット６から放熱体３側に伝わる熱量は大きくなる。【００６１】
次に、このようなランプユニット６からの熱が伝わる放熱体３の構成及びこの放熱体３に固定される端子台７の取付構造について図１から図５を用いて説明する。  
なお、図３は、端子台が放熱体に取り付けられた状態の照明装置の斜視図、図４は、端子台を取り付ける放熱体の切り欠き部及び支持部の構成を説明するための斜視図、図５は、放熱体の支持部に取り付ける端子台の構成を説明するための斜視図。【００６２】
放熱体３は、図１〜図３に示すように、全体が放熱性に優れた金属、例えばアルミニウム等を用いたダイカスト部材で形成されたものであって、ランプユニット６と略同径に形成された放熱本体３Ａと、この放熱本体３Ａの外周に、放熱本体３Ａの中心から放射状に設けられた複数の放熱フィン３ａと、を有して構成される。【００６３】
本実施形態における放熱体３は、ランプユニット６の口金当接面６Ｃに面接触し、ランプユニット６により発生した熱を伝導して放熱する。また、この放熱体３には、口金当接面６Ｃより側方の外側で、かつ放熱体３の上側に端子台７が取り付けられる構成となっている。【００６４】
また、本実施形態における放熱体３は、ランプユニット６により発生した熱を伝導して放熱するものであって、ランプユニット６の点灯中に、温度が７０度以上になる。また、この放熱体３に、この放熱体３から伝わる熱を断熱する断熱手段を介して端子台７が取り付けられる構成となっている。【００６５】
放熱体３と端子台７との具体的な取付構造を説明すると、放熱体３は、この放熱体３に対するランプユニット６の取付方向Ｓと直交する方向の放熱体３の断面において、外周側の一部を切り欠いた切り欠き部３Ｃを有して構成される。【００６６】
この切り欠き部３Ｃは、図４に示すように、端子台７の取り付け面７Ｄに対向する第１の切り欠き面３Ｄと、この第１の切り欠き面３Ｄに延設され、ランプユニット６の取付方向Ｓと直交する方向に沿って設けられた第２の切り欠き面３Ｅと、第１の切り欠き面３Ｄに対して直角に、かつ対向配置された一対の第３の切り欠き面３Ｆと、を有するように形成されている。【００６７】
また、放熱体３は、切り欠き部３Ｃの第１の切り欠き面３Ｄよりも前記放熱体３の中心側に、例えば四角形状の溝部１８を形成している。この溝部１８は、第１の切り欠き面３Ｄに平行な内面を有するように形成された細長い溝である。なお、この溝部１８は、放熱体３の上下方向（ランプユニット６の装着方向Ｓ）の上面と底面３Ｂとの間で貫通しない溝部であるが、これに限定されるものではなく、貫通するように形成しても良い。【００６８】
そして、第１の切り欠き面３Ｄには、ランプユニット６の装着方向Ｓに対し直交する方向に突出する突起状の一対の支持部１７が形成されている。これら一対の支持部１７は、例えば、所定間隔で上下方向に沿って配置されて、それぞれの突起部の先端の平面に端子台７の取り付け面７Ｄが接触してこの端子台７を固定状態に支持する。また、一対の支持部１７には、前記溝部１８に貫通する貫通孔である係止孔１７ａが設けられている。この係止孔１７ａは、端子台７の係止爪部７Ｃを挿通するための孔である。【００６９】
さらに、一対の支持部１７の両側には、端子台７の大きさに合わせて配置された２つの第２の支持部１９が形成されている。この第２の支持部１９の第１の切り欠き面３Ｄからの高さすなわち突出量は、一対の支持部１７と同じ高さとなるように形成されている。【００７０】
なお、一対の支持部１７及び第２の支持部１９は、放熱体３と一体に成型してもよく、あるいは別体に設けて、第１の切り欠き面３Ｄに固定しても良い。また、別体として構成した場合には、断熱部材を用いて構成することが望ましい。【００７１】
端子台７は、例えば、樹脂などの耐熱性のある部材で構成され、図４及び図５に示すように、ランプユニット６から延出される電源供給用及び調光制御用の接続線１５を接続するためのコネクト部７Ａと、外部からの電源供給用の電源ケーブルや調光制御用のケーブル等を接続するためのコネクト部７Ｂとを有して構成される。【００７２】
また、端子台７の取り付け面７Ｄには、図５に示すように、前記一対の支持部１７に形成された係止孔１７ａにそれぞれ挿通する一対の係止爪部７Ｃが設けられている。【００７３】
端子台７の放熱体３への取付は、端子台７の取り付け面７Ｄの係止爪部７Ｃを、切り欠き部３Ｃの支持部１７内の係止孔１７ａに嵌入する。すると、端子台７の係止爪部７Ｄの先端部が放熱体３の溝部１８の内周面に係止されることで、この端子台７は、取り付け面７Ｄと１対の支持部１７及び支持部１９の先端面とが面接触した状態で、放熱体３の第１の切り欠き面３Ｄに固定される（図３参照）。なお、一対の支持部１７、１９によって、端子台７を放熱体３に取り付けているので、端子台７の取り付け面７Ｄの接触面積が小さく、熱が伝わらないようになっている。【００７４】
端子台７を放熱体３に取り付けた場合、端子台７の取付面７Ｄと放熱体３の第１の切り欠き面３Ｄとの間には、支持部１７、１９の厚み分の隙間Ｌ（図２参照）、すなわち、隙間Ｌに対応した空気層を有する空間部３０が形成される。【００７５】
この空間部３０は、断熱手段を構成している。断熱手段としての空間部３０は、ランプユニット６の点灯中に、放熱体３から端子台７に伝わる温度が電源ケーブルの耐熱温度を超えないように、放熱体３から端子台７に伝わる熱を断熱する。【００７６】
したがって、この断熱手段としての空間部３０が形成されることにより、放熱体３の熱が急減に高くなったとしても、この空間部３０が有する空気層が放熱体３と端子台７との間に介在するので、放熱体３からの熱を断熱することで、端子台７に伝わる熱を極めて少なくすることができる。【００７７】
なお、断熱手段として、支持部１７、１９により形成される、空気層を有する空間部３０について説明したが、本実施形態の照明装置１は、係止爪部７Ｃの取付用の溝部１８により形成される空間部３１も含む。すなわち、放熱体３の熱は、中心近傍の温度が高く、外周側に向かうほど低くなる。このため、外周側に形成される空間部３０の他に、さらに第１の切り欠き面３Ｄよりも放熱体３の中心側に設けられた溝部１８により形成される空間部３１が形成されることにより、端子台７に伝わる熱をさらに小さくすることができる。【００７８】
また、溝部１８の形状、大きさは、必要に応じて適宜変更可能であり、所望する断熱効果が得られるように形成してもよい。【００７９】
また、端子台７は、放熱体３の切り欠き部３Ｃに取り付けた構成について説明したが、例えば、放熱体３の放熱フィン３ａに前記一対の支持部１７、１９を設け、これら支持部１７、１９を介して放熱フィン３ａに取り付けてもよい。【００８０】
さらに、端子台７と放熱体３との固定方法は、端子台７の係止爪部７Ｃによって固定するように説明したが、これに限定されるものではなく、ネジなどの螺合によって固定してもよい。【００８１】
次に、本実施形態の照明装置１の作用を説明する。  
上記構成の照明装置１において、ランプ点灯中、ランプユニット６内のＬＥＤ８ａにより発生した熱は、図２に示すように、実装基板９、ユニット本体６Ａに伝わり、その後、このユニット本体６Ａの口金当接面６Ｃが面接触している放熱体３の底面３Ｂに効率良く伝わる。仮に、高出力の照明装置１である場合には、ランプユニット６から放熱体３側に伝わる熱量は大きくなる。【００８２】
そして、放熱体３は、伝導された熱を放熱する。ランプユニット６から放熱体３側に伝わる熱量が大きくなったとしても、放熱体３による放熱作用により、ランプユニット６の点灯状態の安定化が図れる。【００８３】
このとき、放熱体３の熱は、放熱体３の特性により、中心近傍の温度が一番高く、外周側の放熱フィン３ａに向かうほど温度が低くなる。より具体的には、放熱体３の底面３Ｂに面接触しているランプユニット６の口金当接面６Ｃから遠ざかるほど温度が低くなる。そして、口金当接面６Ｃから遠い位置となるように、口金当接面６Ｃより側方の外側で、かつ放熱体３の上側に端子台７が取り付けられる。【００８４】
したがって、放熱体３の温度が最も低くなる位置に端子台７が取り付けられるため、端子台７に接続される電源ケーブル等の耐性を十分に確保でき、電源ケーブル等を熱から保護することができる。【００８５】
また、温度が低くなる外周側に位置する切り欠き部３Ｃに、支持部１７、１９によって形成された絶縁手段である空間部３０を介して端子台７が固定されている。【００８６】
したがって、放熱体３の温度が端子台７に接続される電源ケーブル等の耐熱温度である７０度を超えてしまった場合でも、さらに空間部３０による断熱作用により、端子台７に伝わる熱を断熱することにより、この端子台７に接続される電源ケーブル等の耐性を十分に確保でき、電源ケーブル等を熱から保護することができる。【００８７】
また、空間部３０による断熱作用だけではなく、溝部１８に形成された空間部３１と合わせた断熱作用により、端子台７に伝わる熱をより強く断熱することができ、より効果的に熱から電源ケーブル等を保護できる。【００８８】
したがって、本実施形態によれば、放熱体３から端子台７に伝わる熱を断熱することにより、端子台７に接続される電源ケーブルを、熱から保護することができる照明装置１の実現が可能である。【００８９】
（変形例１）
なお、本実施形態において、端子台７の放熱体３への取付構造は、上記実施形態における構成に限定されるものではなく、図６の変形例に示すような構成で端子台７を放熱体３に取り付けてもよい。このような変形例について図６を用いて説明する。【００９０】
図６は、放熱体に対する端子台の取付構造の変形例を説明するための斜視図である。なお、図６は、前記実施形態の照明装置１と同様な構成要素については同一の符号を付して説明を省略し、異なる部分のみを説明する。【００９１】
図６に示すように、照明装置１Ａは、支持部１７、１９を介して端子台７を放熱体３に取り付けるのではなく、断熱手段を構成する断熱部材２０を用いて端子台７を放熱体３に取り付けるようにしている。【００９２】
つまり、端子台７は、放熱体３に対するランプユニット６の取付方向Ｓと直交する方向の放熱体３の断面において、放熱体３の外周よりも外側の位置に配置され、かつ前記空気層を有する空間部３０を形成するように断熱部材２０を介して取り付けている。【００９３】
断熱部材２０は、例えば樹脂を用いて板状に形成されたものである。そして、この断熱部材２０の一端側を端子台７の側面にネジ２１の螺合により取り付け、他端側を切り欠き部３Ｃの第２の切り欠き面３Ｅにネジ２１の螺合により取り付けることで、端子台７を固定する。【００９４】
なお、端子台７に取り付けられた断熱部材２０の他端を、第３の切り欠き面３Ｆにネジ等の螺合によって取り付けてもよい。また、断熱部材２０の形状及び長さは、必要に応じて適宜変更すればよい。【００９５】
さらに、端子台７は、断熱部材２０に対して下側となるように取り付けたが、上側に取り付けてもよい。すなわち、いずれの取付方法でも、放熱体３の外周よりも離間した位置で、かつ空間部３０を形成するように取り付けられれば、端子台７の向き等については特に限定されない。【００９６】
したがって、本変形例によれば、断熱手段としての断熱部材２０によって、端子台７は、放熱体３の外周よりも外側の位置に配置して、かつ空気層を有する空間部３０が形成されるように固定されるので、前記実施形態によりも熱が端子台７に伝わりにくく、より良好な断熱効果が得られる。【００９７】
（変形例２）
なお、本実施形態において、溝部１８の形状は、四角形状に限定されるものではなく、図７の変形例に示すような形状であってもよい。このような変形例について図７を用いて説明する。【００９８】
図７は、溝部の形状の変形例を説明するための斜視図である。なお、図７は、前記実施形態の照明装置１と同様な構成要素については同一の符号を付して説明を省略し、異なる部分のみを説明する。【００９９】
図７に示すように、照明装置１Ｂは、図４の四角形状の溝部１８に代わり、切り欠き部３Ｃ側を中心とする円弧形状の溝部１８ａを用いて構成されている。この円弧形状の溝部１８ａは、端子台７が取り付けられる支持部１７への伝熱経路Ｐを小さくするように形成されている。このように、伝熱経路Ｐを小さくするように溝部１８ａを形成することにより、第１の切り欠き面３Ｄに設けられている支持部１７への熱の伝熱を抑えることができる。【０１００】
したがって、本変形例によれば、円弧形状の溝部１８ａによって端子台７への伝熱経路Ｐを小さくすることができるので、前記実施形態によりも熱が端子台７に伝わりにくく、より良好な断熱効果が得られる。【０１０１】
（変形例３）
なお、本実施形態において、端子台７は、第１の切り欠き面３Ｄに設けられている支持部１７に取り付けられる構成となっているが、図８の変形例に示すような構成であってもよい。このような変形例について図８を用いて説明する。【０１０２】
図８は、放熱体の変形例を説明するための斜視図である。なお、図８は、前記実施形態の照明装置１と同様な構成要素については同一の符号を付して説明を省略し、異なる部分のみを説明する。【０１０３】
図８に示すように、照明装置１Ｃは、第１の切り欠き面３Ｄの放熱体３の中心から外側に取付部４０が設けられている。そして、この取付部４０には、支持部１７及び１９が設けられている。【０１０４】
取付部４０は、板形状を有しており、放熱体３と一体で構成され、第２の切り欠き面３Ｅから突出形成されている。また、板形状を有する取付部４０の厚さは、放熱フィン３ａの厚さよりも薄く形成されている。このような取付部４０は、側面からの熱の伝熱がなくなり、底面からの熱の伝熱のみとなる。即ち、熱の伝熱経路が取付部４０の底面からのみとなる。また、取付部４０の厚さは、放熱フィン３ａの厚さよりも薄く形成することにより、底面からの伝熱経路を小さくしている。【０１０５】
したがって、本変形例によれば、放熱フィン３ａの厚さよりも薄い板形状の取付部４０を第２の切り欠き面３Ｅから突出形成することによって端子台７への伝熱経路を小さくすることができるので、前記実施形態によりも熱が端子台７に伝わりにくく、より良好な断熱効果が得られる。【０１０６】
（変形例４）
なお、本実施形態において、放熱フィン３ａは、図９の変形例に示すような構成であってもよい。このような変形例について図９を用いて説明する。【０１０７】
図９は、放熱体の変形例を説明するための上面図である。なお、図９は、前記実施形態の照明装置１と同様な構成要素については同一の符号を付して説明を省略し、異なる部分のみを説明する。【０１０８】
図９に示すように、照明装置１Ｄは、複数、ここでは、２つの放熱フィン３ａの先端側にそれぞれ保持部４１が設けられている。なお、なお、照明装置１Ｄは、２つの放熱フィン３ａの先端側にそれぞれ保持部４１を設ける構成としているが、１つ、あるいは、３つ以上の放熱フィン３ａの先端側にそれぞれ保持部４１を設ける構成としてもよい。【０１０９】
これらの保持部４１は、端子台７のコネクト部７Ｂに接続された外部からの電源供給用の電源ケーブルや調光制御用のケーブル等を保持する。なお、図９では、これらの電源供給用の電源ケーブル等を電源ケーブル４２として示している。【０１１０】
このように、放熱体３の中心部より温度が低い放熱フィン３ａの先端側に保持部４１を設けて、電源ケーブル４２を保持することで、電源ケーブル４２が放熱フィン３ａの先端側より温度の高い部分、具体的には、放熱体３の上部の中心付近に接触することを防いでいる。【０１１１】
したがって、本変形例によれば、放熱フィン３ａの先端側に設けられた中心部より温度が低い保持部４１に電源ケーブル４２を保持することができるので、前記実施形態によりも端子台７に接続される電源ケーブル４２を熱から保護することができる。【０１１２】
（変形例５）
なお、本実施形態において、放熱体３は、図１０の変形例に示すような構成であってもよい。このような変形例について図１０を用いて説明する。【０１１３】
図１０は、放熱体の変形例を説明するための断面図である。なお、図１０は、前記実施形態の照明装置１と同様な構成要素については同一の符号を付して説明を省略し、異なる部分のみを説明する。【０１１４】
放熱体３には、放熱本体３Ａの一部を切り欠くことによって配線用溝３ｃが形成され、この配線用溝３ｃを介して、放熱本体３Ａの上面側と底面側とが連通されている。端子台７と電源用ソケット部５Ｘとを接続する接続線１５は、配線用溝３ｃを介して接続される。即ち、接続線１５は、放熱体３の外側を通って端子台７と電源用ソケット部５Ｘとを接続する構成となっている。これにより、接続線１５が放熱体３から受ける熱の影響を小さくする。【０１１５】
また、配線用溝３ｃは、放熱体３に端子台７が取り付けられた際に、端子台７の真下に設けられる。そして、配線用溝３ｃは、ランプユニット６に放熱体３が取り付けられた際に、ランプユニット６の電源用ソケット部５Ｘの真上に設けられる。このように構成することで、端子台７と電源用ソケット部５Ｘとは、接続線１５を用い、配線用溝３ｃを介して最短で接続できる。これにより、接続線１５が放熱体３から受ける熱の影響を小さくする。【０１１６】
したがって、本変形例によれば、接続線１５は、放熱体３の外側で、かつ端子台７と電源用ソケット部５Ｘとを最短で接続できるので、前記実施形態によりも端子台７と電源用ソケット部５Ｘとを接続する接続線１５を熱から保護することができる。【０１１７】
本発明は、上述した実施の形態及び変形例に限定されるものではなく、本発明の要旨を変えない範囲において、種々の変更、改変等が可能である。【０１１８】
本出願は、２０１０年７月５日に日本国に出願された特願２０１０−１５３４３９号を優先権主張の基礎として出願するものであり、上記の開示内容は、本願明細書、請求の範囲、図面に引用されたものとする。
【図１】
2012005243.tif 000003
【図２】
2012005243.tif 000004
【図３】
2012005243.tif 000005
【図４】
2012005243.tif 000006
【図５】
2012005243.tif 000007
【図６】
2012005243.tif 000008
【図７】
2012005243.tif 000009
【図８】
2012005243.tif 000010
【図９】
2012005243.tif 000011
【図１０】
2012005243.tif 000012
【手続補正書】
【提出日】平成25年5月10日(2013.5.10)
【手続補正１】
【補正対象書類名】明細書
【補正対象項目名】００１０
【補正方法】変更
【補正の内容】
【００１０】
実施形態の照明装置は、ランプユニットの当接面に面接触し、前記ランプユニットにより発生した熱を伝導して放熱する放熱体と；前記当接面より側方の外側で、かつ前記放熱体の上側に取り付けられる端子台と；前記放熱体から伝わる熱を断熱する断熱手段と；を具備し、前記放熱体は、外周側の一部を切り欠いた切り欠き面を有する切り欠き部が形成され、この切り欠き部の切り欠き面には突起状の支持部を有し、前記端子台は、前記放熱体に前記断熱手段を介して取り付けられ、かつ、取り付け面が前記突起状の支持部を介して前記放熱体に取り付けられ、前記断熱手段は、前記支持部によって前記放熱体の切り欠き面と前記端子台の取り付け面との間に形成される空間部である。
【手続補正２】
【補正対象書類名】特許請求の範囲
【補正対象項目名】全文
【補正方法】変更
【補正の内容】
【特許請求の範囲】
【請求項１】
ランプユニットの当接面に面接触し、前記ランプユニットにより発生した熱を伝導して放熱する放熱体と；
前記当接面より側方の外側で、かつ前記放熱体の上側に取り付けられる端子台と；
前記放熱体から伝わる熱を断熱する断熱手段と；
を具備し、
前記放熱体は、外周側の一部を切り欠いた切り欠き面を有する切り欠き部が形成され、この切り欠き部の切り欠き面には突起状の支持部を有し、
前記端子台は、前記放熱体に前記断熱手段を介して取り付けられ、かつ、取り付け面が前記突起状の支持部を介して前記放熱体に取り付けられ、
前記断熱手段は、前記支持部によって前記放熱体の切り欠き面と前記端子台の取り付け面との間に形成される空間部であることを特徴とする照明装置。
【請求項２】
前記断熱手段は、前記端子台と前記放熱体の中心側との間に設けられた溝部であることを特徴とする請求項１に記載の照明装置。
【請求項３】
前記断熱手段は、前記端子台を前記放熱体の外周よりも外側の位置に配置する取り付け部であり、前記端子台は前記取り付け部を介して前記放熱体に取り付けたことを特徴とする請求項１に記載の照明装置。
【請求項４】
前記溝部は、前記切り欠き面側を中心とする円弧形状の溝部であることを特徴とする請求項２に記載の照明装置。
【請求項５】
前記放熱体は、前記放熱体の当接面よりも側方の外側に前記切り欠き面を有し、
前記断熱手段は、前記切り欠き面から突出形成され前記端子台を取り付ける取付部であることを特徴とする請求項１に記載の照明装置。
【請求項６】
前記放熱体は、放熱本体と、前記放熱本体の外周に、前記放熱本体の中心から放射状に設けられた複数の放熱フィンとを有し、
前記複数の放熱フィンのうち少なくとも１つ以上の放熱フィンに、前記端子台に接続される電源ケーブルを保持する保持部を設けたことを特徴とする請求項１に記載の照明装置。
【請求項７】
前記放熱体は、前記端子台と対向し、かつ、前記ランプユニットの電源用ソケット部と対向する位置に、前記放熱本体の一部を切り欠くことによって形成される配線用溝を有し、
前記端子台と前記電源用ソケット部とは、前記配線用溝を介して接続線で接続されることを特徴とする請求項１に記載の照明装置。
【国際調査報告】
2012005243.tif 000013
2012005243.tif 000014
2012005243.tif 000015